(57)【特許請求の範囲】
【請求項１】
上辺部、下辺部、中辺部でなる断面略エ型の金属製型材の上辺部及び下辺部の外側面に木質材を固着して天井梁を形成し、天井に横架される同天井梁の上辺部上の木質材の上面両側に、天井パネルを構成する上面板の側縁部分を相互の側縁端間に間隙をあけて配置載設し、該両側の上面板の側縁部分上に断熱部材を載置し、該断熱部材の下面に突設した凸起を同両側の上面板の側縁端間の前記間隙に係合させてなる天井支持構造。
【請求項２】
内部に断熱材が充填された矩形枠材の両面側に上面板及び下面板を貼着一体化して天井パネルを形成し、天井梁の両側に配置される同天井パネルの矩形枠材上までを覆い得る巾寸法の帯板状に断熱部材を形成したことを特徴とする請求項１記載の天井支持構造。
【請求項３】
帯板状の長手方向に沿ったリブ状の凸起を断熱部材の下面に一体形成したことを特徴とする請求項２記載の天井支持構造。
【発明の詳細な説明】
【０００１】
【発明の属する技術分野】
本発明は、天井に横架される天井梁の上面両側に天井パネルを構成する上面板の側縁部分を配置載設してなる天井支持構造に関する。
【０００２】
【従来の技術】
従来から、家屋の小屋裏天井において、図４に示す如く、天井に横架される天井梁６の上面両側に天井パネル７を構成する上面板８の側縁部分を配置載設してなる天井支持構造が知られている。この場合、天井パネル７の本体部分は断熱材料でなり、上面板８は木質合板でなる。又、天井梁６は木質角材でなり、その断面形状は上下に長い長方形状である。
【０００３】
しかしながら、この場合、天井梁６が木質角材でなるため、断熱性を付与されて重量物となる天井パネル７を支持するには強度不足となりがちで、該天井パネル７を確実に支持することができないものであった。又、天井梁６の部位及びその近辺部位には断熱材料が存在せず、同天井梁６の付近には断熱性が付与されない構造となっていて、室内と天井裏との間における断熱性能は十分に保持されないものであった。
【０００４】
又、図５に示す如く、上辺部１、下辺部２、中辺部３でなる断面略エ型の金属製型材４の上辺部１及び下辺部２の外側面に木質材５を固着してなる天井梁６も提案されており、この場合は、天井に横架される同天井梁６の上辺部１上の木質材５の上面両側に、天井パネル７を構成する上面板８の側縁部分を配置載設した天井支持構造となる。ここで、天井パネル７は、内部に断熱材１２が充填された矩形枠材１３の両面側に上面板８及び下面板１４を貼着一体化して形成されている。
【０００５】
この場合、天井パネル７はその内部に断熱材１２が充填されて重量物となるものの、断面略エ型の金属製型材４を主体とする強固な天井梁２の間に同天井パネル７は確実に支持される。しかし、上記の場合と同様に、天井梁６の付近には断熱性が付与されない構造となるため、室内と天井裏との間における断熱性能は十分に保持されないものであった。
【０００６】
特に、この場合は、天井梁６の主体が金属製型材４でなるため、該金属製型材４の上辺部１の上下間では熱が伝わり易くなっており、該上辺部１の下面に結露を発生し易いものであった。更には、金属製型材４全体を熱が伝わって、該金属製型材４の中辺部３や下辺部２の表面、或いは、室内側表面にまで結露が発生してしまうこともあった。
【０００７】
【発明が解決しようとする課題】
本発明は、上記従来の技術における問題を悉く解決するために発明されたもので、その課題は、室内と天井裏との間における断熱性能が確保されて、結露の発生も防止される天井支持構造を提供することである。
【０００８】
【課題を解決するための手段】
本発明の請求項１記載の天井支持構造は、上辺部、下辺部、中辺部でなる断面略エ型の金属製型材の上辺部及び下辺部の外側面に木質材を固着して天井梁を形成し、天井に横架される同天井梁の上辺部上の木質材の上面両側に、天井パネルを構成する上面板の側縁部分を相互の側縁端間に間隙をあけて配置載設し、該両側の上面板の側縁部分上に断熱部材を載置し、該断熱部材の下面に突設した凸起を同両側の上面板の側縁端間の前記間隙に係合させてなる。
【０００９】
したがって、この場合、天井梁の主体が断面略エ型の金属製型材でなり、該天井梁は強固なものとなるため、重量物となる天井パネルであってもこれを確実に支持することができる。又、前記断面略エ型の金属製型材の上辺部及び下辺部の外側面に木質材を固着して天井梁が形成されるため、該天井梁上に小屋束を立設固定したり同天井梁下に室内側表面天井材を取着固定したりする固定作業を、前記上下の木質材を使用して容易且つ確実に行なうことができる。
【００１０】
しかも、天井に横架される前記天井梁の上辺部上の木質材の上面両側に、天井パネルを構成する上面板の側縁部分が配置載設され、該両側の上面板の側縁部分上には断熱部材が載置されるため、該断熱部材によって同天井梁の付近に断熱性を付与した構造となり、室内と天井裏との間における断熱性能は十分に確保される。又、それ故に、天井梁の主体が熱伝達し易い金属製型材でなっていても、同天井梁の周辺における結露の発生は防止される。
【００１１】
更には、前記天井パネルを構成する上面板の側縁部分が相互の側縁端間に間隙をあけて配置載設されるため、該間隙をガイドラインとして防露対策の必要な所定位置に断熱部材を容易に載置することができる。又、その際、上面板の側縁端間の間隙に断熱部材の下面に突設した凸起が係合されるため、同断熱部材は位置決めされてずれ動かないよう確実に載置固定される。
【００１２】
本発明の請求項２記載の天井支持構造は、上記請求項１記載の天井支持構造において、内部に断熱材が充填された矩形枠材の両面側に上面板及び下面板を貼着一体化して天井パネルを形成し、天井梁の両側に配置される同天井パネルの矩形枠材上までを覆い得る巾寸法の帯板状に断熱部材を形成したことを特徴とシテイル。
【００１３】
したがって、この場合は特に、内部に断熱材が充填された矩形枠材の両面側に上面板及び下面板を貼着一体化して天井パネルは形成されており、天井梁の付近以外の同天井パネルの部位において十分な断熱性能が得られる。しかも、天井梁の両側に配置される天井パネルの矩形枠材上までを覆い得る巾寸法の帯板状に断熱部材が形成されるため、該帯板状の断熱部材と同天井パネルの断熱材とで天井平面はその全体が連続的に覆われて断熱され、断熱性能はより向上される。
【００１４】
本発明の請求項３記載の天井支持構造は、上記請求項２記載の天井支持構造において、帯板状の長手方向に沿ったリブ状の凸起を断熱部材の下面に一体形成したことを特徴としている。
【００１５】
したがって、この場合は特に、断熱部材の下面に形成される凸起が帯板状の長手方向に沿ったリブ状となるため、該凸起は長手方向全長にわたって天井パネル間の上記間隙に係合し、同断熱部材がより容易、確実に載置固定される。又、リブ状で長手方向の凸起は帯板状の断熱部材の下面に、発泡樹脂成形等によって簡単に一体形成される。
【００１６】
【発明の実施の形態】
図１、２は、本発明の請求項１〜３全てに対応する一実施形態を示し、該実施形態の天井支持構造は、上辺部１、下辺部２、中辺部３でなる断面略エ型の金属製型材４の上辺部１及び下辺部２の外側面に木質材５を固着して天井梁６を形成し、天井に横架される同天井梁６の上辺部１上の木質材５の上面両側に、天井パネル７を構成する上面板８の側縁部分を相互の側縁端間に間隙９をあけて配置載設し、該両側の上面板８の側縁部分上に断熱部材１０を載置し、該断熱部材１０の下面に突設した凸起１１を同両側の上面板８の側縁端間の前記間隙９に係合させてなるものである。
【００１７】
該実施形態の天井支持構造においては、内部に断熱材１２が充填された矩形枠材１３の両面側に上面板８及び下面板１４を貼着一体化して天井パネル７を形成し、天井梁６の両側に配置される同天井パネル７の矩形枠材１３上までを覆い得る巾寸法Ｌの帯板状に断熱部材１０を形成している。又、この場合、帯板状の長手方向に沿ったリブ状の凸起１１を断熱部材１０の下面に一体形成してもいる。
【００１８】
天井梁６はその主体を金属製型材４で形成したものであり、該金属製型材４の上辺部１及び下辺部２の外側面に各々帯板状の木質材５がボルト・ナット止めや接着等によって固着一体化されている。又、天井梁６は家屋の天井部位に複数本架設固定されており、各天井梁６間に各々複数枚の天井パネル７が架設され、各天井パネル７は相互に隣接して並設固定される。天井パネル７は、図３にも示す如く、矩形状に枠組みされた矩形枠材１３の内側に合成樹脂発泡体等でなる断熱材１２が充填され、該断熱材１２の上下両面に上面板８及び下面板１４を貼着一体化して形成されたものである。
【００１９】
この場合、矩形枠材１３は木質角材でなり、四本が枠組みされている。又、上面板８及び下面板１４は木質合板でなり、矩形枠材１３の外側へ同上面板８の側縁部分が全周にわたり突出延設され、同下面板１４は枠組みされた同矩形枠材１３の矩形状と略合致する外形寸法に形成されている。そのため、下面板１４は上面板８よりも小さくて、該上面板８の側縁部分が前記天井梁６上側の木質材５の上面両側に配置載設されて支持される。その際、上面板８の側縁端間に間隙９が形成されるよう、同上面板８の外形寸法は設定されている。
【００２０】
又、断熱部材１０はポリウレタンやポリ塩化ビニル等の合成樹脂の発泡体等でなり、その下面のリブ状の凸起１１と一体に注型成形や押出成形によって形成されたものである。断熱部材１０は帯板状で、その巾寸法Ｌが天井梁６の両側に配置される天井パネル７の矩形枠材１３上間にわたるよう設定されている。凸起１１は前記上面板８間の間隙９に略合致する形状寸法に形成されており、該間隙９に嵌め込むようにして係合される。
【００２１】
したがって、該実施形態の天井支持構造においては、天井梁６の主体が断面略エ型の金属製型材４でなり、該天井梁６は強固なものとなるため、断熱性能が付与されて重量物となる天井パネル７であってもこれを確実に支持することができる。又、前記断面略エ型の金属製型材４の上辺部１及び下辺部２の外側面に木質材５を固着して天井梁６が形成されるため、該天井梁６上に小屋束を立設固定したり同天井梁６下に室内側表面天井材を取着固定したりする固定作業を、前記上下の木質材５を使用して容易且つ確実に行なうことができる。
【００２２】
しかも、天井に横架される前記天井梁６の上辺部１上の木質材５の上面両側には、天井パネル７を構成する上面板８の側縁部分が配置載設され、該両側の上面板８の側縁部分上には断熱部材１０が載置されるため、該断熱部材１０によって同天井梁６の付近に断熱性を付与した構造となり、室内と天井裏との間における断熱性能は十分に確保される。又、それ故に、天井梁６の主体が熱伝達し易い金属製型材４でなっていても、同天井梁６の周辺における結露の発生は防止される。
【００２３】
更に、前記天井パネル７を構成する上面板８の側縁部分は相互の側縁端間に間隙９をあけて配置載設されるため、スリット状の同間隙９をガイドラインとして防露対策の必要な所定位置に断熱部材１０を容易に載置することができる。又、その際、上面板８の側縁端間の間隙９に断熱部材１０の下面に突設した凸起１１が嵌め込むようにして係合されるため、同断熱部材１０は位置決めされてずれ動かないよう確実に載置固定される。この場合、小屋裏における設置であり、釘やネジ等による固定は不要で、前記凸起１１の係合だけでも十分な固定強度が得られる。
【００２４】
又、該実施形態の天井支持構造においては、内部に断熱材１２が充填された矩形枠材１３の両面側に上面板８及び下面板１４を貼着一体化して天井パネル７は形成されており、天井梁６の付近以外の同天井パネル７の部位において十分な断熱性能が得られる。しかも、天井梁６の両側に配置される天井パネル７の矩形枠材１３上までを覆い得る巾寸法Ｌの帯板状に断熱部材１０が形成されるため、該帯板状の断熱部材１０と同天井パネル７の断熱材１２とで天井平面はその全体が連続的に覆われて断熱されることになり、断熱性能はより向上される。
【００２５】
又、該実施形態の天井支持構造においては、断熱部材１０の下面に形成される凸起１１が帯板状の長手方向に沿ったリブ状となるため、該凸起１１は長手方向全長にわたって天井パネル７間の上記間隙９に嵌まり込むように係合し、同断熱部材１０がより容易、確実に載置固定される。又、リブ状で長手方向の凸起１１は帯板状の断熱部材１０の下面に、注型成形や押出成形の発泡樹脂成形によって簡単に一体形成される。
【００２６】
【発明の効果】
上述の如く、本発明の請求項１記載の天井支持構造においては、強固な天井梁で天井パネルを確実に支持することができ、同天井梁の上下には小屋束、室内側表面天井材等を容易且つ確実に固定することができる。しかも、断熱部材によって天井梁の付近に断熱性を付与した構造となり、室内と天井裏との間における断熱性能が十分に確保され、それ故、同天井梁は熱伝達し易いものであっても、その周辺における結露の発生が防止される。更には、所定位置に断熱部材を容易に載置することができ、その際、凸起の係合によって同断熱部材は位置決めされて確実に載置固定される。
【００２７】
又、本発明の請求項２記載の天井支持構造においては、特に、内部に断熱材が充填された天井パネルによって、天井梁の付近以外の部位において十分な断熱性能が得られ、しかも、帯板状の断熱部材と同天井パネルの断熱材とで天井平面はその全体が連続的に覆われて断熱され、断熱性能はより向上される。
【００２８】
又、本発明の請求項３記載の天井支持構造においては、特に、長手方向に沿ったリブ状の凸起が天井パネル間の間隙に係合し、断熱部材はより容易、確実に載置固定され、該断熱部材の下面に同長手方向に沿った凸起は発泡樹脂成形等によって簡単に一体形成される。
【図面の簡単な説明】
【図１】本発明の一実施形態である天井支持構造を示す要部断面斜視図。
【図２】同天井支持構造の施工状態を示す断面図。
【図３】同天井支持構造における天井パネルを示す下方から見た斜視図。
【図４】従来例である天井支持構造を示す断面図。
【図５】別の従来例である天井支持構造を示す断面図。
【符号の説明】
１  上辺部
２  下辺部
３  中辺部
４  金属製型材
５  木質材
６  天井梁
７  天井パネル
８  上面板
９  間隙
１０  断熱部材
１１  凸起
１２  断熱材
１３  矩形枠材
１４  下面板
【図１】
0003598949.tif 000002
【図２】
0003598949.tif 000003
【図３】
0003598949.tif 000004
【図４】
0003598949.tif 000005
【図５】
0003598949.tif 000006